(57)【特許請求の範囲】
【請求項１】
ロッドと、アジャスタ部とを有するスイッチアジャスタであって、
ロッドは、ポイントの対をなすトングレールをつなぐ転てつ棒に取り付けられた腕金具の軸筒内に挿込まれ、腕金具を支え、電気転てつ機の動作かんのストロークを受けてトングレールを定位から反位へ、あるいは反位から定位へ転換させるものであり、軌間の少なくとも１／２以上の長さに設定され、
前記アジャスタ部は、ねじ軸と、対をなす筒ナットと、対をなす可動軸受と、コイルバネとの組み合わせからなり、これらの組み合わせが、バネ箱内に収容されたものであり、
前記ねじ軸は、前記ロッドと、電気転てつ機の動作かんとをつなぐものであり、調整操作部を有し、
前記各筒ナットは、それぞれ周上にフランジを有し、ねじ軸にねじ込んで向き合わせに配設されたものであり、
対をなす前記可動軸受は、バネ箱に対し、それぞれの筒ナットの周上に一定の範囲内で軸方向を摺動可能に向き合わせに外装されたものであり、
前記コイルバネは、両可動軸受間に介装され、ポイントの転換時に、電気転てつ機の動作かんのストロークを受けてねじ軸とともに変位する筒ナットのフランジに押されて圧縮され、基本レールに対するトングレールの密着力を生じさせるものであり、
前記調整操作部は、トングレールの定位、反位転換時におけるトングレールと、基本レール間の密着力を調整するものであり、対をなす筒ナットを有し、
対の筒ナットは、定位又は反位転換後のいずれか一方の状態でいずれもが軌間外に位置して軌間外で両筒ナットの操作が可能であり、他方の状態では、一方の筒ナットのみが軌間外に位置して軌間外でその調整操作が可能となるものであることを特徴とするスイッチアジャスタ。
【請求項２】
反位又は定位の状態で軌間外に位置する前記筒ナットは、列車運行中における調整操作部となるものであることを特徴とする請求項１に記載のスイッチアジャスタ。
【請求項３】
ポイントの定位密着時又は反位密着時において、前記ロッドは、前記腕金具に対して間隙Ｄ１の範囲にわたって相対移動が可能であり、一方の前記筒ナットのフランジが、当該筒ナットに外装した可動軸受の外端に押し付けられた状態で、他方の筒ナットのフランジと、当該筒ナットに外装した可動軸受の外端とは、間隙Ｄ２を置いて向き合されており、
間隙Ｄ１＋Ｄ２は、スイッチアジャスタの間隙を形成するものであることを特徴とする請求項１に記載のスイッチアジャスタ。
【請求項４】
前記バネ箱は、前記筒ナットに外装された可動軸受の上周面を被うとともに、軸方向の一定の範囲内で可動軸受を移動可能に保持するものであり、
前記可動軸受の周面には、外端から一定の範囲にわたって標識が付され、
前記標識は、ポイント取付時における定位密着および反位密着操作時の目印となるものであることを特徴とする請求項１に記載のスイッチアジャスタ。
【請求項５】
前記ロッドは、角軸部を有し、
角軸部は、前記腕金具の軸筒に開口された角穴内に挿入され、取付時の不用意な回転を阻止するものであることを特徴とする請求項１に記載のスイッチアジャスタ。
【発明の詳細な説明】
【技術分野】
【０００１】
本発明は、転てつ装置におけるスイッチアジャスタに関する。
【背景技術】
【０００２】
鉄道線路のポイントは、図７に示すように基本レール３１、トングレール３２、転てつ棒（タイバー）３３、床板などで構成され、転換装置（図示略）によって基準線側及び分岐線側にそれぞれ転換できる構造になっている。ポイントは、常時開通している方向を定位といい、その反対方向を反位という。
【０００３】
転換装置は、トングレール３２を転換し、基本レール３１に密着させる装置であり、また密着状態のトングレール３２を、その位置に保持する装置を鎖錠装置（図示略）という。転てつ装置の役目は、ポイントのトングレール３２を定位から反位へ、また、反位から定位へ移動（転換）させ、転換終了時に、トングレール３２の状態を照査、確認をしてその状態のまま維持（鎖錠）することである。
【０００４】
ポイントの転換には、電気転てつ機、スイッチアジャスタ、エスケープクランク、転てつ減摩器などが使用され、ポイントの鎖錠には、電気転てつ機、フロントロッド、ロックロッド、転てつ鎖錠器などが使用されるが、スイッチアジャスタ以外の機器は、本願発明の構成に直接関係がないので、明細書ではそれらの説明を省略する。
【０００５】
スイッチアジャスタ３４は、転換機（電気転てつ機、エスケープクランク、転てつ棒など）から伝達されるストロークを、ポイントストロークに変え、ポイントを転換し、トングレール３２を基本レール３１に密着させるためのものである。ポイントストロークをＳＰ、転換機のストローク（電気転てつ機の動作かんのストローク）をＳＭ、スイッチアジャスタの間隙をＤとすると、ＳＭ＝ＳＰ＋Ｄの関係があり、スイッチアジャスタの間隙Ｄの範囲で定位、反位転換時におけるトングレールと、基本レールとの密着調整ができるようになっている。
【０００６】
従来のスイッチアジャスタ３４の構成を図８に示す。図８において、スイッチアジャスタ３４は、ロッド３５と、筒ナット３６及びナット３７と、これらの締付ナット３８ａ，３８ｂと、腕金具３９と、回り止め金具４０との組み合わせである。
【０００７】
筒ナット３６は、締付ナット３８ａで固定してロッド３５のロッドねじ部４１にねじ込まれ、図７の転てつ棒（タイバー）３３に固定された腕金具３９の軸筒４２内に差し込まれ、ナット３７は、腕金具３９の一端から、間隙Ｄの間隔を置き、締付ナット３８ｂで固定してロッドのねじ部４１にねじ込まれたものである。
【０００８】
回り止め金具４０は、対の二叉部４３間に筒ナット３６と、ナット３７をそれぞれはさみ、両ナット３６、３７の自由回転を阻止して腕金具３９に取り付けられるものであり、回り止め金具４０の二叉部４３には、断面コ形の鋼板を用い、対の二叉部４３を一枚のプレート４４の両端に溶接し、このプレート４４を腕金具３９に保持させていた。
【０００９】
スイッチアジャスタは、間隙Ｄの範囲内でロッドねじ部４１に対する筒ナット３６及びナット３７のねじ込み量を調整することによって行われるが、基本レールと、トングレールとの接触箇所における密着力を十分に保持させるためにコイルバネが組み込まれる。特許文献１には、全体の大型化を避け、併せて密着力調整を容易に行い得る転てつ機のスイッチアジャスタにおける軌条密着力調節装置が記載されている。
【００１０】
特許文献１に記載されたスイッチアジャスタは、図９に示すように転てつ棒を固定する腕金具Ｂの下側両端にそれぞれ係合子、バネ受けねじ４５を設け、これら係合子、ばね受けねじ４５のそれぞれに可動自在に嵌合した一対の対抗するバネ座金４６、４６間にコイルバネ４７を張設し、該コイルバネ４７の内側を貫通するロッド４８のばね座金のそれぞれの側に長尺状の筒ナット４９と締付ナット５０を固定し、必要に応じ筒ナット４９、締付けナット５０のロッド４８への締付け位置の選定で軌条密着力を容易かつ適正に調節可能としたというものである。
【００１１】
しかし、特許文献１に記載されたスイッチアジャスタによっても、その調整作業は、保安作業員が鉄道線路の軌間内に入り込んで行わなければならならず、スイッチアジャスタの調整作業中に列車が誤って作業中の区間に差し掛かった時には、保守作業員は、十分な時間を確保して軌間内から退避しなければならないことには変わりはない。
【００１２】
もちろん、列車が調整作業中の区間内に進入した場合でも、保守作業員が安全に退避できれば問題は生じることはないが、鉄道線路の軌間内には、砂利が敷かれて足場が悪く、保守作業員が軌間内から退避の際に砂利に足元を取られあるいはレールにつまずいて転倒し、保安作業員が怪我するだけにとどまらず、これが人身事故、列車事故の原因になる危険は避けられない。そもそも、保守作業員が退避する際に、レールをまたいで軌間内から脱出しなければならないというところに根本的な欠陥がある。
【００１３】
スイッチアジャスタの態様は多様であるが、鉄道が日本に敷設されて以来、この問題は何ら改善されていないのが実情である。しかも実際の調整作業においては、スイッチアジャスタの間隙Ｄ（Ｄ＝ＳＭ―ＳＰ）を見ながら保守作業員が２人掛りで作業を行わなければならなかった。また、スイッチアジャスタには、定位又は反位転換後、トングレールが基本レールに密着したことを確認をするための目印が設けられているが、従来は、２つの目印を一致させる方法によって確認を行っていたので、必ずしもレールの密着力の確認が容易であることになっていなかった。
【先行技術文献】
【特許文献】
【００１４】
【特許文献１】実開平５−８９５０１号
【非特許文献】
【００１５】
【非特許文献１】（社）日本鉄道電気技術協会  「転てつ装置」  平成４年５月１０日  Ｐ９〜Ｐ２１
【発明の概要】
【発明が解決しようとする課題】
【００１６】
解決しようとする問題点は、従来、スイッチアジャスタを調整するときには、保守作業員が鉄道線路の軌間内に入り込んで作業しなければならず、その作業はきわめて危険を伴っていたという点である。
【課題を解決するための手段】
【００１７】
本発明によるスイッチアジャスタにおいては、スイッチアジャスタの調整を鉄道線路の軌間内で行う必要をなくした点を最大の特徴とする。
【発明の効果】
【００１８】
本発明によるスイッチアジャスタによれば、スイッチアジャスタの調整操作部を軌間外（基本レール外）に移したため、保安作業員はスイッチアジャスタの調整に際して軌間内に入る必要がなく、したがって保安作業者の触車事故の危険性を格段に減少することができる。
【図面の簡単な説明】
【００１９】
【図１】本発明によるスイッチアジャスタを設置したポイントの平面図である。
【図２】本発明のスイッチアジャスタのロッドと腕金具との関係を示す図である。
【図３】（ａ）は、本発明によるスイッチアジャスタのアジャスタ部の構造を示す平面図、（ｂ）は同断面側面図、（ｃ）は（ｂ）のＣ−Ｃ線断面図である。
【図４】バネ箱のフレームと、可動軸受との関係を示す、図３のＥ部拡大図である。
【図５】（ａ）は、本発明によるスイッチアジャスタを用いたポイントの定位反転時を示す図、（ｂ）はポイントの反位転換時の様子を示す図である。
【図６】可動軸受に付された第１の標識と第２の標識が外部に露出している状態を示す図であり、（ａ）は図３のＡ部拡大図、（ｂ）は図３のＢ部拡大図である。
【図７】従来のスイッチアジャスタを用いたポイントを示す図である。
【図８】従来のスイッチアジャスタの構造を示す図である。
【図９】特許文献１に記載されたスイッチアジャスタの構造を示す図である。
【発明を実施するための形態】
【００２０】
スイッチアジャスタの密着力調整作業を軌間内で行う必要をなくすという目的を、スイッチアジャスタの調整操作部を電気転てつ機と、腕金具間をつなぐロッドの軌間外の位置に配置することによって実現した。
【実施例１】
【００２１】
図１は、本発明によるスイッチアジャスタを装備した転てつ装置の１例を示す図である。停車場内には、１つの線路から他の線路へ列車または車両を移動させる必要がある場合に備えて分岐器が敷設されている。分岐器は、１つの線路から他の線路へ列車または車両を移動させる場合に、分岐器のトングレールは、左右いずれかの基本レールに密着し、列車または車両の通路を形成する。
【００２２】
トングレールを転換し、基本レールに密着させる装置を転換装置、密着状態のトングレールをその位置に保持する装置を鎖錠装置といい、転換装置と、鎖錠装置とを総称して転てつ装置という。ポイントの転換には電気転てつ機、スイッチアジャスタなどが使用され、ポイントの鎖錠には、電気転てつ機、フロントロッドのほか、ロックロッド、転てつ鎖錠器（いずれも図示略）などが使用される。
【００２３】
（スイッチアジャスタの構成）
図１において、本発明は、ロッド９と、アジャスタ部１０とを有するスイッチアジャスタ６である。ロッド９は、ポイントの対をなすトングレール８ａ，８ｂをつなぐ転てつ棒４に取り付けられた腕金具５の軸筒７内に、軸方向を摺動可能に挿込まれ、電気転てつ機１の動作かん１１のストロークを受けて腕金具５をロッド９の軸方向に押し、あるいは逆に軸方向に引くことによってトングレール８ａ、８ｂを定位から反位へ、あるいは反位から定位へ転換させるものである。本発明において、ロッド９の長さは、基本レール３ａ、３ｂの間隔、すなわち、軌間の少なくとも１／２以上の長さに設定されている。アジャスタ部１０は、電気転てつ機１の動作かん１１と、ロッド９の端末間につながれ、後述するようにスイッチアジャスタの調整操作部を有している。調整操作部はトングレールの定位、反位転換時におけるトングレールと、基本レール間の密着力を調整するものであり、軌間外でロッド９の端末に配置されるものである。
【００２４】
図１において、電気転てつ機１は、枕木２の一端に据え付けられ、対をなすトングレール８ａ、８ｂは、転てつ棒４で連結されている。図示は略すが、転てつ棒４には、長さ方向に１０ｍｍ〜１５ｍｍの長穴が開口され、トングレール８ａ、８ｂはこの長穴内に差し込んだピンによって転てつ棒４に連結されているものである。転てつ棒４は、上方から見て中央板面が水平方向に湾曲する細長い平板であり、前記腕金具５は、中央板面に取り付けられたものである。腕金具５には、湾曲した板面の中央凹部の空間に伸びてスイッチアジャスタ６のロッド９を挿入する軸筒７を備えている。本発明において、軸筒７は、角孔を有する筒である。
【００２５】
スイッチアジャスタ６は、腕金具５と組み合わされて電気転てつ機１の動作かん１１から伝達されるストロークを、ポイントストロークに変え、ポイントを反位から定位へ、あるいは逆に定位からから反位に転換し、定位側トングレール８ａを基本レール３ａに、あるいは逆に反位側トングレール８ｂを基本レール３ｂに密着させるものであり、ロッド９と、アジャスタ部１０との組み合わせによって構成されている。
【００２６】
ロッド９は、腕金具５を介して電気転てつ機１の動作かん１１のストロークをトングレール８に伝えるものであり、アジャスタ部１０は、その一端がロッド９と一体につながれ、他端に取り付けられた二叉部１０ａは、電気転てつ機エスケープメントクランクを含む駆動機構（図示略）の動作かん１１につながれている。一方、図２に示すようにアジャスタ部１０に一端がつながれたロッド９の他端に角軸部９ａを備え、この角軸部９ａが腕金具５に開口された軸筒７の角孔内に差し込まれ、軸筒７からの突出端のねじ軸９ｂには、間隙調整ナット１２と、締付けナット１３とがねじ込まれている。ロッド９は、その角軸部９ａが腕金具５の軸筒７内に差し込まれることによって自由回転が阻止され、アジャスタ部１０を一定の姿勢に保つ。
【００２７】
（アジャスタ部の構成）
図３において、アジャスタ部１０は、ねじ軸１４と、対をなす筒ナット１５ａ，１５ｂと、コイルバネ１６と、可動軸受１７ａ，１７ｂとの組み合わせからなり、これらの組み合わせが、バネ箱１８内に収容されたものである。筒ナット１５ａ，１５ｂは、それぞれの一端周上にフランジ１９ａ，１９ｂを有し、それぞれフランジのない側の端面を互いに向き合わせてねじ軸１４にねじ込んで左右対称に配設されている。可動軸受１７ａ，１７ｂは、それぞれ筒ナット１５ａ，１５ｂの周上に外装されたものである。
【００２８】
本発明において、筒ナット１５ａ，１５ｂおよび可動軸受１７ａ，１７ｂの対は、左右対称に配列されたものであるため、以下主として筒ナット１５ａおよび可動軸受１７ａについて説明し、筒ナット１５ｂおよび可動軸受１７ｂについては必要により括弧を付して示す。可動軸受１７ａ（１７ｂ）は、それぞれの筒ナット１５ａ（１５ｂ）の周上をそれぞれ一定の範囲内で軸方向を摺動可能に向き合わせに外装されたものである。
【００２９】
バネ箱１８の両端には、バネ箱１８の一部としてそれぞれの可動軸受１７ａ，１７ｂの周面を覆うアーチ状のフレーム２１ａ（２１ｂ）を有し、それぞれのフレーム２１ａ（２１ｂ）およびバネ箱１８の要所には、図４に示すように、一定長さのピン挿入孔２２ａが開口され、それぞれのピン挿入孔２２ａ内には、フレーム２１ａの外周面から差し込んだピン２３ａが嵌合されている。図示は略すが、可動軸受１７ｂについても同様にフレーム２１ｂにピンで支持されている。これによって、可動軸受１７ａ（１７ｂ）は、ピン挿入孔２２ａ（２２ｂ）の長さの範囲内でねじ軸１４に対して相対的に移動可能となっているものである。
【００３０】
可動軸受１７ａ（１７ｂ）は、それぞれの筒ナット１５ａ（１５ｂ）に外装されたバネ受け２４ａ（２４ｂ）の背面を支え、コイルバネ１６は、軸方向に押し縮めた状態で両筒ナット１５ａ（１５ｂ）のバネ受け２４ａ（２４ｂ）間に介装され、ねじ軸１４に対するねじ込み量によって規制された両筒ナット１５ａ、１５ｂの間隔内でバネ受け２４ａ、２４ｂに支えられる。なお、両筒ナット１５ａ（１５ｂ）の頭部の両外方のねじ軸１４上には回り止めナット２５ａ（２５ｂ）がねじ込まれ、ねじ軸１４に対する両筒ナット１５ａ（１５ｂ）の間隔の変動を阻止している。筒ナット１５ａ、１５ｂは、スイッチアジャスタの調整操作部である。筒ナット１５ａ又は１５ｂを回転し、ねじ軸１４に沿って変位させることによって、筒ナット１５ａと１５ｂとの間隔が変わり、コイルバネ１６のバネ力が変化してて定位、反位転換時におけるトングレールと基本レール間の密着調整が実施される。
【００３１】
一方、腕金具５の方向に延びるねじ軸１４の軸端は、バネ箱１８内の軸受け２６に摺動可能に保持され、前記ロッド９は、バネ箱１８と一体的に固定されている。図２において、ロッド９の軸上には、位置規制用ストッパー２０を有し、調整ナット１２ａが軸筒７の一端に押し付けられている場合に、軸筒７の他端と、ストッパー２０の端縁間の間隙はＤ１に保たれる。
【００３２】
図５（ａ）は、ポイントが定位密着（鎖錠）時の状態、図５（ｂ）は、反位密着（鎖錠）時の状態を示している。定位密着時においては、ロッド９が電気転てつ機側に引かれ、スイッチアジャスタの調整操作部である筒ナット１５ａおよび１５ｂのいずれもが基本レール３ａの外側、すなわち軌間外に位置している。
【００３３】
したがって、この状態では筒ナット１５ａおよび１５ｂのいずれも軌間外でその調整操作が可能である。また反位密着時においては、電気転てつ機側の筒ナット１５ａのみが軌間外に位置し、保安作業員は軌間外でその調整操作が可能となる。これに対して腕金側の筒ナット１５ｂは、軌間内に位置することになるが、後述するように筒ナット１５ａが実質的に保守管理用の調整操作部であるため、保守管理用の調整作業は軌間外で行うことができる。もっとも、この実施例は、設置上の制約から反位密着時においては、筒ナット１５ｂが軌間内に位置せざるを得ないことになっているだけであって、ロッドに十分な長さを確保できれば、筒ナット１５ａおよび１５ｂを軌間外に設置することは可能である。
【００３４】
（転換動作の要領）
以下にポイントの転換動作の要領を説明する。この実施例では、トングレールを電気転てつ機側に引いて定位鎖錠され、基準線側を開通させている。図５（ａ）において、ポイントを定位から反位に転換するときには、電気転てつ機１を駆動し、その動作かん１１を押し出すと、そのストロークを受けてスイッチアジャスタ６が同方向に移動してポイントを定位から反位方向に転換させるが、この場合にまず、スイッチアジャスタ６の軸方向に作用する負荷が小さい間はアジャスタ部１０と、ロッド９とが一体に距離Ｄ１を移動し、ロッド９のストッパー２０が腕金具５の軸筒７の一端開口縁に当接する（図２参照）。
【００３５】
その後、ロッド９に加わる負荷によって、アジャスタ部１０のねじ軸１４が押され、コイルバネ１６を押し縮めながら転てつ棒４を一体に移動させ、図５（ｂ）のように定位側トングレール８ａを基本レール３ａから引き離し、反位側トングレール８ｂを反位側基本レール３ｂに押しつけ、押し縮められたコイルバネ１６の反発力で反位側トングレール８ｂを基本レール３ｂに密着させてポイントを定位から反位に転換させ、反位鎖錠によって分岐線側を開通させる。
【００３６】
なお、この実施例では、定位鎖錠（または反位鎖錠）の状態において、電気てんてつ機側の筒ナット１５ａのフランジ１９ａ（又は１９ｂ）と、可動軸受１７ａ（又は１７ｂ）との間には間隙Ｄ２が確保されており、したがって、スイッチアジャスタの間隙Ｄは、Ｄ１＋Ｄ２となる。この実施例において、スイッチアジャスタの間隙ＤをＤ１＋Ｄ２に分割しているのは、電気転てつ機１と、基本レール３ａ間の距離が決まっており、Ｄ２にＤの間隔を確保できないからである。Ｄ２に十分な間隔を確保できる条件であれば間隙Ｄ１の確保は不要である。
【００３７】
（転換時の密着確認要領）
次に、ポイントの定位又は反位転換時における密着確認の要領を説明する。本発明において、バネ箱１８の両端の可動軸受１７ａ（１７ｂ）の周面にポイント取付時における定位密着および反位密着操作時の目印となる標識を有している。
以下の説明では、定位密着時の目印としての標識について説明する。標識は、図６（ａ）に示すように安全標識２８ａと、注意標識２９ａとからなり、安全標識２８ａは、可動軸受１７ａの外端縁から一定の幅（たとえば１ｍｍの幅）でたとえば緑に着色され、注意標識２９ａは、安全標識２８ａに隣接して一定の幅（たとえば３ｍｍ）で、たとえば赤色に着色されている。図６（ａ）においては、スイッチアジャスタを電気転てつ機側に引いてトングレールを定位で基本レールに密着をかけている状態を示している。反位密着の場合に対応して他方の可動軸受１７ｂには、図６（ｂ）に示すように外側には幅１ｍｍの安全標識（緑色）２８ｂと、幅３ｍｍの注意標識（赤色）２９ｂが付されている。図６（ｂ）は、安全標識２８ｂが外部に現れ、注意標識２９ｂは、フレーム２１ｂに覆われている状態である。
【００３８】
定位又は反位転換時に確保すべき密着力が正しく調整されていたときの転換動作は以下の通りである。すなわち、図５（ａ）において、スイッチアジャスタ６を「引いて密着」の定位の状態から図５（ｂ）の「押して密着」の反位に転換する場合に、電気転てつ機１の動作かん１１のストロークを２２２ｍｍとしたときに、動作かん１１が定位方向より反位方向に向けて３ｍｍ動いてくると、アジャスタ部１０のねじ軸１４、筒ナット１５ａおよび可動軸受１７ａは、コイルバネ１６に押される。
【００３９】
これによって、定位側可動軸受（図上左側の可動軸受）１７ａに付された両標識のうち、もともと外部に現れていた安全標識（緑色）２８ａに加えて、図６（ａ）に示すように注意標識（赤色）２９ａまでも外部に現れてくる。一方、反位側可動軸受（図上右側の可動軸受）１７ｂに付された両標識のうち、安全標識２８ｂは、図６（ｂ）に示すように外部に現れているが、注意標識２９ｂは、バネ箱１８の一部であるフレーム２１ｂに覆われたままである。
【００４０】
筒ナット１５ａがＤ２の距離（１０ｍｍ）を移動するまで、バネ箱１８は定位置にとどまっている。筒ナット１５ａが最初からＤ２の距離（１０ｍｍ）を移動してそのフランジ１９ａが可動軸受１７ａの端面を押すと、可動軸受１７ａ、コイルバネ１６を通じて反対側の可動軸受１７ｂが押され、以後スイッチアジャスタ６は、反位側に移動を開始する。なお、弾性ポイントの場合に特定はできないが定位から反位への転換時にある位置まではトングレールの反力によってスイッチアジャスタが反位方向に引っ張られる場合がある。
【００４１】
今、仮に動作かんストロークＳＭ＝２２２ｍｍ、ポイントストロークＳＰ＝１７０ｍｍとしたときに、ＳＭとＳＰとの差＝５２ｍｍは、間隙Ｄ２＝１０ｍｍ、転てつ棒の長穴＝１５ｍｍと、ロッド９のストッパー２０と腕金具の軸筒７の端縁との間の間隙Ｄ１＝２９ｍｍとによって吸収され、その差が０になったときに電気転てつ機の動作かんのストロークが転換力となり、トングレールが定位から反位への転換が完了する。
【００４２】
これに先立ち動作かんストロークＳＭが２１９ｍｍのときに実質的に反位側トングレール８ｂは基本レール３ｂに密着する。なお、この状態では、定位側可動軸受１７ａの安全標識（緑色）２８ａ、注意標識（赤色）２９ａは外部に露出したままであり、さらにスイッチアジャスタを３ｍｍ押し出し、動作かんストロークＳＭ＝２２２ｍｍとなったときに、注意標識（赤色）２９ａがフレーム２１ａ内に隠れ、外部に露出しているのは１ｍｍの安全標識（緑色）２８ａだけとなって定位から反位への転換は終了となる。
【００４３】
これは、図５（ｂ）に示すスイッチアジャスタ６を「押して密着」の反位の状態から図５（ａ）の「引いて密着」の定位に転換する場合においても、その動作要領は同じである。すなわち、この場合には、動作かんが引かれるにしたがって、図６（ｂ）に示す反位側可動軸受（図上右側の可動軸受）１７ｂに付された両標識のうち、もともと外部に現れていた安全標識（緑色）２８ｂに加えて、注意標識（赤色）２９ｂまでも外部に現れてくるが、動作かんストロークＳＭ＝２２２ｍｍとなったときに、注意標識（赤色）２９ｂがフレーム２１ｂ内に隠れ、外部に露出しているのは１ｍｍの安全標識（緑色）２８ｂだけとなって反位から定位への転換は終了となる。
【００４４】
正しく調整されているときには、ポイントは、定位から反位への転換あるいは反位から定位に正規に転換して一定の密着力（約２．２ｋＮ）が確保される。本発明において、ポイントが一定の密着力を保って定位から反位へあるいは反位から定位に正規に転換されたかどうかは、標識の色によって容易に確認できる。転換後、露出している安全標識（緑色）の幅が１ｍｍ以内のときには、密着力が大きすぎる場合であり、安全標識（緑色）とともに注意標識（赤色）の少なくとも一部が露出しているときには密着力が不足する場合である。いずれも筒ナット１５ａ又は１５ｂを扱い、ねじ軸１４上を１０ｍｍの範囲内（ピン挿入孔２２ａ又は２２ｂの長さの範囲内）で変位させ、コイルバネ１６のバネ圧を変化させることによって転換時の密着力を正しく調整する。
【００４５】
（スイッチアジャスタの取付要領）
次に、ポイントが仕様どおりに組上げられている状態において、スイッチアジャスタをポイントに取り付ける要領を説明する。
１）定位側セット
定位側トングレール８ａを基本レール３ａに接着させる。腕金具５は予め転てつ棒４に組み付けておく。
【００４６】
出荷時に予め所定寸法に組上げられたスイッチアジャスタ６を電気転てつ機の動作かん１１と、腕金具５とに取り付ける。スイッチアジャスタを構成するすべての部品が公差内の精度で組み立てられているとすれば、腕金具５と、ロッド９のストッパー２０間の間隙Ｄ１＝２９ｍｍは一定の範囲内、この実施例では±２ｍｍの誤差の範囲内に収まっているはずである。
【００４７】
もし、この範囲内に収まっていないときには、可動軸受１７ａの調整幅１０ｍｍを利用してアジャスタ部の調整操作部である筒ナット１５ａを前後動させ、Ｄ１＝２９ｍｍに収める。次に電気転てつ機側の筒ナット１５ａを緩めて注意標識（赤色）２９ａをフレーム２１ａ内に収め、安全標識（緑色）２８ａだけが外部に現出するように調整する。これによって定位側セットの作業は完了する。
【００４８】
２）反位側セット
定位側セット完了後、手動操作によってポイントを定位から反位に転換する。この操作によって、反位側トングレール８ｂが基本レール３ｂに密着したときに以下の調整を行う。
（イ）反位側可動軸受１７ｂ側の注意標識（赤色）２９ｂが１ｍｍ〜３ｍｍ見えているときには、アジャスタ部の調整操作部である定位側筒ナット１５ａを締め込み、安全標識（緑色）２８ｂだけが現れるようにする。
（ロ）フレーム２１ｂから露出する反位側の安全標識（緑色）２８ｂの幅が１ｍｍより少ないときには、１ｍｍ（緑色の全部）がフレーム２１ｂの外に出るまで定位側筒ナット１５ａを緩める。以上の操作によって、反位側セット（反位密着）は完了する。
【００４９】
本発明において、スイッチアジャスタをポイントに取り付けるに際し、腕金具５と、ロッド９のストッパー２０間の間隙Ｄ１が一定の範囲内、実施例では±２ｍｍの誤差の範囲内に収まっていれば、反位側の筒ナット１５ｂを扱う必要はないが、万一誤差の範囲内をこえているときには、図５（ｂ）に明らかなように軌間内で反位側の筒ナット１５ｂを扱って調整を行わなければならない。しかしながら、この作業は、最初のセットだけでよく、列車運行後の調整業務は、もっぱら電気転てつ機側の筒ナット１５ａを扱うことによって足りる。その意味で、筒ナット１５ａがスイッチアジャスタの保守管理用の調整操作部である。
【００５０】
以上実施例では、定位を「引いて密着」、反位を「押して密着」の例で説明したが、「引いて密着」、「押して密着」のいずれの側を定位、反位に設定してもかまわないのは言うまでもない。また、上面開放のバネ箱を図示した、実際の装置においては、コイルバネの収納部分は、水密に保つ必要があり、バネ箱の上面はカバー（図示略）で密閉される。バネ箱を密閉するに際しては、フレームから露出する可動軸受１７ａ、１７ｂに付された標識の視認が妨げられてはならない。もっとも、可動軸受１７ａの標識はバネ箱の端縁より外側に表示されるため、問題はないが、可動軸受１７ｂの標識がカバーにふさがれるときには、カバーの一部に透視用の窓などを設けることによって対応する。
【産業上の利用可能性】
【００５１】
本発明は、次世代分岐器のスイッチアジャスタに適用することによって、保安作業員の触車事故の危険性を減じてその安全を確保し、また定位、反位転換時におけるトングレールと基本レールとの密着確認作業を容易ならしめたものであり、次世代分岐器・転てつ機の開発のコンセプトである「故障を起こしにくい」、「メンテナンスが少ない」分岐器・転てつ機の実現に大きく貢献できるものである。
【符号の説明】
【００５２】
１  電気転てつ機、２  枕木、３ａ，３ｂ  基本レール、４  転てつ棒、５  腕金具、６  スイッチアジャスタ、７  軸筒、８ａ，８ｂ  トングレール、９  ロッド、９ａ  角軸部、９ｂ  ねじ軸、１０  アジャスタ部、１０ａ  二叉部、１１  動作かん、１２  間隙調整ナット、１３  締付けナット、１４  ねじ軸、１５ａ，１５ｂ  筒ナット、１６  コイルバネ、１７ａ，１７ｂ可動軸受、１８バネ箱、１９ａ，１９ｂ  フランジ、２０  位置規制用ストッパー、２１ａ，２１ｂ  フレーム、２２ａ，２２ｂ  ピン挿入孔、２３ａ，２３ｂ  ピン、２４ａ，２４ｂ  バネ受け、２５ａ，２５ｂ  回り止めナット、２６  軸受け、２８ａ  ２８ｂ  安全標識、２９ａ、２９ｂ  注意標識
【図１】
0005508886.tif 000002
【図２】
0005508886.tif 000003
【図３】
0005508886.tif 000004
【図４】
0005508886.tif 000005
【図５】
0005508886.tif 000006
【図６】
0005508886.tif 000007
【図７】
0005508886.tif 000008
【図８】
0005508886.tif 000009
【図９】
0005508886.tif 000010